(57)【要約】【課題】偽造した磁気カードを使用されても、暗証番号が一致していれば、不当な取引であるとして、拒絶することができないという問題点があった。【解決手段】磁気カードを偽造され、暗証番号を盗まれたとしても、磁気カードの挿入側のカード端からの磁気データの位置によって、利用者の正当性を確認しているので、偽造した磁気カードの使用を不当な取引であるとして拒絶する。【選択図】  図１
2007188399.tif 000002
【特許請求の範囲】
【請求項１】
磁気ストライプを持つ磁気カードを取引に使用する自動取引装置において、
前記自動取引装置は前記磁気カードの前記磁気ストライプ内に記憶してある顧客情報を読み取り書き替え可能にする共に該磁気カードの挿入側のカード端からの磁気データの位置を計測する機能を持つ磁気カード装置を備え、前記磁気カード装置は前記磁気データの位置を計測し、あらかじめ登録されている前記磁気データの位置と比較し、その結果が正当であれば磁気カードが正当なものとして取引が開始されることを特徴とする自動取引装置。
【請求項２】
請求項１の自動取引装置において、
取引終了後、あらかじめ登録されている前記磁気データの位置を所定の位置に更新すると共に自動取引装置は磁気カードの該磁気データの位置を該所定の位置に書き替えすることを特徴とする自動取引装置。
【請求項３】
請求項１および請求項２の自動取引装置において、
あらかじめ登録されている前記磁気データの位置は通信回線にて接続されたセンタ計算機にあることを特徴とする自動取引装置。
【発明の詳細な説明】
【技術分野】
【０００１】
本発明は、自動取引装置の不正取引の防止に関し、特に取引利用者を特定する記憶情報が格納された磁気カード等の偽造を検出する機能を持つ自動取引装置に関するものである。
【背景技術】
【０００２】
従来、現金自動取引装置に取引利用者を特定する記憶情報が格納された磁気カード（以下、磁気カードという）を挿入すると、磁気カードに設けてある磁気ストライプ内に記憶してある顧客情報を、磁気読取り装置で読取った後、この磁気カードの使用者が入力した暗証番号とあわせてホストコンピュータに送出する。ホストコンピュータは、受信した顧客情報を基に、顧客ファイルに記録のある取引可能な顧客であると判断した後、この磁気カードの顧客が入力した暗証番号と、既に顧客ファイル内に登録済みの正当な顧客の暗証番号を比較し、両者が一致した場合には、この磁気カードの利用者が正当な利用者であると判断し、この磁気カードの使用を許可するが、両者が一致しない場合には、正当な利用者以外の第三者が、この磁気カードを不正に使用している恐れがあるとして、一定回数以上不一致が繰り返されると使用を拒絶するようになっている。
【０００３】
また、たとえば特開平５−２４２１３０号に示されているように、取引操作直前に前回入力した暗号コードを入力し、取引終了後に次回の取引操作を行わせる為の暗号コードを入力しておく。このように暗号コードを取引ごとに取引利用者が変更でき、また暗号コードを利用者取引情報上に格納しておくことで、偽造された取引利用者を特定する記録情報が格納された媒体による不正取引を防止するものもある。
【特許文献１】特開平５−２４２１３０号公報
【発明の開示】
【発明が解決しようとする課題】
【０００４】
しかしながら、上述した従来の技術は、磁気カードを紛失、または盗難にあった場合を想定し、ホストコンピュータが、受信した磁気カードの顧客情報を基に、取引可能な顧客であると判断した後、磁気カードの顧客が入力した暗証番号と、既に顧客ファイル内に登録済みの正当な顧客の暗証番号とを比較し、両者が一致していれば、この磁気カードの顧客が正当な顧客であると判断し、取引を実行するようになっている。
【０００５】
このため、万一、何等かの方法で偽造した磁気カードを使用され、さらに自動取引装置操作中に背後から暗証番号を覗き見されたり、誕生日や電話番号、自動車のナンバープレートなどから暗証番号を推察されたりして、暗証番号が一致していれば、不当な取引であるとして拒絶することができないという問題点がある。
【０００６】
本発明の目的は、暗証番号が一致していても、偽造した磁気カードは、磁気カードに記録されているデータ内容は正しく偽造できるが、挿入側のカード端からの磁気データの書き込み位置まで合わせるのが難しいといったところに着目して、偽造した磁気カードの使用を不当な取引であるとして拒絶することができる自動取引装置を提供することにある。
【課題を解決するための手段】
【０００７】
上記問題を解決するため本願発明は、磁気ストライプを持つ磁気カードを取引に使用する自動取引装置において、前記自動取引装置は前記磁気カードの前記磁気ストライプ内に記憶してある顧客情報を読み取り書き替え可能にする共に該磁気カードの挿入側のカード端からの該顧客情報の磁気データの位置を計測する機能を持つ磁気カード装置を備え、前記磁気カード装置は前記磁気データの位置を計測し、あらかじめ登録されている前記磁気データの位置と比較し、その結果が正当であれば磁気カードが正当なものとして取引が開始されることを特徴とするものである。
【０００８】
また、他の発明は、磁気ストライプを持つ磁気カードを取引に使用する自動取引装置において、前記自動取引装置は前記磁気カードの前記磁気ストライプ内に記憶してある顧客情報を読み取り書き替え可能にする共に該磁気カードの挿入側のカード端からの該顧客情報の磁気データの位置を計測する機能を持つ磁気カード装置を備え、前記磁気カード装置は前記磁気データの位置を計測し、あらかじめ登録されている前記磁気データの位置と比較し、その結果が正当であれば磁気カードが正当なものとして取引を開始する。また、取引終了後、あらかじめ登録されている前記磁気データの位置を所定の位置に更新すると共に自動取引装置は磁気カードの前記磁気データの位置を該所定の位置に書き替えすることを特徴とするものである。  
【発明の効果】
【０００９】
本発明の自動取引装置は、前記磁気カードの磁気ストライプ内に記憶してある顧客情報を読み取り書き替え可能にする共に挿入側のカード端からの磁気データの位置を計測する機能を持つ磁気カード装置を備え、前記磁気カード装置は前記顧客情報を読み取ると共に前記磁気データの位置を計測し、あらかじめ登録されている前記磁気データの位置と比較して、磁気カードの正当性を確認することにより、仮に、暗証番号が一致していても、偽造した磁気カードの使用を不当な取引であるとして拒絶することができる。
【００１０】
また、取引終了後、あらかじめ登録されている挿入側のカード端からの磁気データの位置を所定の位置に更新すると共に自動取引装置は磁気カードの挿入側のカード端からの磁気データの位置を該所定の位置に書き替えすることで、セキュリティの更なる向上が期待できる。  
【発明を実施するための最良の形態】
【００１１】
以下、本発明の実施例について図面に従って詳細に説明する。
図１は本発明の自動取引装置の概略構成図、図２は磁気カード装置７の概略説明図、図３は磁気カード４の磁気ストライプ６内データの位置の説明図である。
【００１２】
＜実施例１＞
図１は、この発明の自動取引装置の概略構成図で、自動取引装置１は、ホストコンピュータ２と通信回線３を介して接続し、磁気カード４の磁気ストライプ６内に記憶してある利用者情報を読み取り書き替えすると共にカード端からの磁気データの位置を計測する機能を持つ磁気カード装置７、明細票発行部８、紙幣入出金部９、硬貨入出金部１０、通帳記帳部１１、取引内容記録部１２、取引内容表示選択部１３は、制御部１４と接続され、制御部１４はホストコンピュータ２の制御部（図示せず）と接続されている。また、自動取引装置１内の各部は自動取引装置内プログラム（図示せず）によって動作する。
【００１３】
ホストコンピュータ２は、自動取引装置１から受信した顧客情報を基に顧客データ記憶部１５を検索し、正当な使用者であるかまたはカード端からの磁気データの位置が正しいか否かを判別する。
【００１４】
自動取引装置１は、銀行等の金融機関またはコンビ二エンスストア等に設置されるものである。この自動取引装置１は利用者５の操作により現金の入金取引，出金取引，振込み等各種金融取引ができるものである。
また、この自動取引装置１は通信回線３にてホストコンピュータ２と通信可能に接続されている。
【００１５】
２はホストコンピュータであり、銀行等の金融機関の事務センタ等に設置される。このホストコンピュータ２は自動取引装置１で利用者５の口座への入金および利用者５の口座からの出金等の取引を行う場合、自動取引装置１との間で正当な使用者であるか等の確認または入金、出金等の取引データ等の送受信を行う。
なお、ホストコンピュータ２は通信回線３を介して１台または２台以上の自動取引装置１と相互に通信可能に接続されている。
【００１６】
ホストコンピュータ２の制御部（図示せず）は、入金取引，出金取引，振込み等各種金融取引を行う際、ホストコンピュータ２の顧客データ記憶部１５にあらかじめ登録された顧客情報とカード端からの磁気データの位置を読み出す機能を有し、読み出された顧客情報およびカード端からの磁気データの位置と磁気カード装置７で計測したカード端からの磁気データの位置を比較し、その値が所定の値であれば、カードが正当なものとして取引が開始される。
【００１７】
図２は、図１で示した磁気カード装置７の概略説明図で、カード端からの磁気データの位置を検出するセンサ群２０ａ，２０ｂ，２０ｃ、磁気データを読み取る磁気ヘッド２１、磁気カードを搬送する搬送ローラ群２２ａ，２２ｂ、搬送ローラを駆動させる駆動部２３、２０ａ，２０ｂ，２０ｃ，２２ａ，２２ｂ，２３を制御するカード装置制御部２４、磁気カード４を搬送させる搬送路２５から構成される。図３は磁気カード４の磁気ストライプ６内のデータの位置の一例を示していて、挿入側のカードの端からA：タイミングマーク、B：開始符号、C：顧客情報、D：終わり符号、E：データチェック符号と順番に並んで配置されている。
【００１８】
磁気カード装置７は、磁気カード４の磁気ストライプ６内に記憶してある口座情報，名前および連絡先等の顧客情報を読み取り書き替えすると共にカードのカード端からの磁気データの位置を計測する機能を持つ。取引が終了した磁気カード４はカード排出口から排出して利用者５に返却する。
【００１９】
明細票発行部８は、利用者５が行った取引の内容を明細票に印刷するものである。また、取引内容を印刷した明細票は明細票排出口から排出して利用者５に発行する。
【００２０】
紙幣入出金部９および硬貨入出金部１０は、取引に伴う紙幣や硬貨の入出金処理を行うものである。
【００２１】
通帳記帳部１１は、利用者５が行った取引の内容を通帳に印刷するものである。また、取引内容を印刷した通帳は通帳挿入排出口から排出して利用者５に返却する。
【００２２】
取引内容記憶部１２は、半導体メモリや磁気ディスク等で構成され取引データを格納して記憶することができるものである。
【００２３】
取引内容表示選択部１３は、ディスプレイ等の表示部上にタッチパネルを配置し、利用者５が入力操作を行うものであり、また、取引選択画面、利用者５が選択した取引に対して利用者５の入力操作等の誘導を行う画面および入力された情報等を表示するものである。
【００２４】
上記の磁気カード装置７、明細票発行部８、紙幣入出金部９、硬貨入出金部１０、通帳記帳部１１、取引内容記録部１２、取引内容表示選択部１３は、制御部１４と接続され、各部の動作は自動取引装置内プログラム（図示せず）によって動作する。
【００２５】
次に上述した構成の作用について説明する。
磁気カード４の利用者５は、自動取引装置１の取引内容表示選択部１３において取引内容を選択し、磁気カード４を磁気カード装置７に挿入する。磁気カード４が利用者５により挿入されたことを図２に示すカード位置検出センサ２０ａにて検出し、カード搬送ローラ２２ａによりカード搬送路２５に獲りこむ。さらにカード４を搬送し、磁気ヘッド２１にてカード端より図３に示す磁気データを順次読み取る。磁気データを読み取る際、図２に示すカード位置検出センサ２０ｂと搬送速度から図３の開始符号Ｂ、実データＣ、終わり符号Ｄ、データチェック符号Ｅの位置を算出する。
【００２６】
暗証番号を入力すると、自動取引装置１内では、磁気カード装置７が磁気カード４に記録されている顧客データとカード端からの磁気データの位置を計測し、自動取引装置１内プログラムの働きにより顧客データ、カード端からの磁気データの位置と暗証番号を通信回線３よってホストコンピュータ２に送出する。
【００２７】
ホストコンピュータ２の制御部では、自動取引装置１から受信した顧客データ、カード端からの磁気データの位置と暗証番号を基に、ホストコンピュータ２の顧客データ記憶部１５にあらかじめ登録された顧客情報およびカード端からの位置データを読み出し、正当な使用者であるか否かを判別する。正当な使用者であると決定すれば、通信回線３を介して自動取引装置１に対し、申込みが受け付けられたことを通知し、自動取引装置１は、磁気カード４の利用者５に対し取引開始を取引内容表示選択部１３に表示する。磁気カード４の利用者５は自動取引装置１から取引条件を入力すると、制御部１４は、明細票発行部８、紙幣入出金部９、硬貨入出金部１０、通帳記帳部１１、取引内容記録部１２、を自動取引装置内プログラムによって動作する。
【００２８】
＜実施例２＞
次に実施例２について説明する。なお、実施例１と同じ構造を有するものについては、その説明を省略する。また、前記実施例１と同じ動作および同じ効果についても、その説明を省略する。
【００２９】
実施例２は、実施例１における取引終了後、ホストコンピュータ２の制御部では、ホストコンピュータ２の顧客データ記憶部１５に登録されたカード端からの磁気データの位置を更新し、同時に通信手段３を介して更新したカード端からの磁気データの位置を自動取引装置１に送出する。自動取引装置１では受信したカード端からの磁気データの位置を磁気カード装置７によって磁気カード４の磁気ストライプ６内に書き込む。
磁気データの更新書き込みは、取引終了後、読み取りおよび計測と同様に行われる。
【００３０】
また、あらかじめ登録されている磁気カードの挿入側のカード端からの該顧客情報の磁気データの位置は、通信回線にて接続されたセンタ計算機にある場合で説明したが、これに限定されるものでなく、たとえば自動取引装置にあっても良いことは言うまでもない。
さらに、顧客情報の磁気データの位置で説明したが、他の磁気データの位置を代用しても本発明の趣旨を逸脱しなければ良いことは言うまでもない。
【００３１】
このように自動取引システムを構成することにより、万一、磁気カードを偽造され、暗証番号を盗まれたとしても、磁気カードの挿入側のカード端からの磁気データの位置によって、顧客の正当性を確認しているので、偽造した磁気カードの使用を不当な取引であるとして拒絶することができる。
【図面の簡単な説明】
【００３２】
【図１】本発明の自動取引装置の概略構成図である。
【図２】磁気カード装置７の概略説明図である。
【図３】磁気カード４の磁気ストライプのデータの位置の説明図である。
【符号の説明】
【００３３】
１  自動取引装置
２  ホストコンピュータ
３  通信回線    
４  磁気カード
５  利用者
６  磁気ストライプ  
７  磁気カード装置
１４  自動取引装置制御部
１５  顧客データ記憶部
【図１】
2007188399.tif 000003
【図２】
2007188399.tif 000004
【図３】
2007188399.tif 000005